(57)【特許請求の範囲】
【請求項１】
通信プロトコルに係る接続要求信号を近距離無線通信回線を通じて受信した場合にユーザ操作に応じて前記通信プロトコルに係る接続許可応答信号又は接続拒否応答信号を近距離無線通信回線を通じて送信する通信相手側接続手段との間で前記通信プロトコルを接続可能な接続手段と、
一の通信プロトコルに係る接続要求信号を前記接続手段から近距離無線通信回線を通じて前記通信相手側接続手段へ送信させたことで前記通信相手側接続手段から前記接続手段への前記一の通信プロトコルに係る接続許可応答信号又は接続拒否応答信号の受信待機中に、他の通信プロトコルに係る接続要求が発生したと判定した場合に、前記通信相手側接続手段から前記接続手段への前記一の通信プロトコルに係る接続許可応答信号又は接続拒否応答信号の受信待機を中断し、前記他の通信プロトコルに係る接続要求信号を前記接続手段から近距離無線通信回線を通じて前記通信相手側接続手段へ送信させる制御手段と、を備えたことを特徴とする近距離無線通信装置。
【請求項２】
請求項１に記載した近距離無線通信装置において、
前記制御手段は、前記他の通信プロトコルの優先順位が前記一の通信プロトコルの優先順位よりも上位であると判定した場合に、前記通信相手側接続手段から前記接続手段への前記一の通信プロトコルに係る接続許可応答信号又は接続拒否応答信号の受信待機を中断し、前記他の通信プロトコルに係る接続要求信号を前記接続手段から近距離無線通信回線を通じて前記通信相手側接続手段へ送信させることを特徴とする近距離無線通信装置。
【請求項３】
請求項２に記載した近距離無線通信装置において、
前記制御手段は、前記通信相手側接続手段から前記接続手段への前記一の通信プロトコルに係る接続許可応答信号又は接続拒否応答信号の受信待機を中断し、前記他の通信プロトコルに係る接続要求信号を前記接続手段から近距離無線通信回線を通じて前記通信相手側接続手段へ送信させた後に、前記通信相手側接続手段からの前記他の通信プロトコルに係る接続許可応答信号又は接続拒否応答信号が前記接続手段により受信されたと判定した場合に、前記一の通信プロトコルに係る接続要求信号を前記接続手段から近距離無線通信回線を通じて前記通信相手側接続手段へ送信させることを特徴とする近距離無線通信装置。
【請求項４】
請求項２に記載した近距離無線通信装置において、
前記制御手段は、前記通信相手側接続手段から前記接続手段への前記一の通信プロトコルに係る接続許可応答信号又は接続拒否応答信号の受信待機を中断し、前記他の通信プロトコルに係る接続要求信号を前記接続手段から近距離無線通信回線を通じて前記通信相手側接続手段へ送信させた後に、前記他の通信プロトコルに係る接続処理が正常終了又は異常終了したと判定した場合に、前記一の通信プロトコルに係る接続要求信号を前記接続手段から近距離無線通信回線を通じて前記通信相手側接続手段へ送信させることを特徴とする近距離無線通信装置。
【請求項５】
請求項２に記載した近距離無線通信装置において、
前記制御手段は、前記通信相手側接続手段から前記接続手段への前記一の通信プロトコルに係る接続許可応答信号又は接続拒否応答信号の受信待機を中断し、前記他の通信プロトコルに係る接続要求信号を前記接続手段から近距離無線通信回線を通じて前記通信相手側接続手段へ送信させた後に、前記通信相手側接続手段からの前記他の通信プロトコルに係る接続許可応答信号又は接続拒否応答信号が前記接続手段により受信されたと判定した場合に、前記通信相手側接続手段から前記接続手段への前記一の通信プロトコルに係る接続許可応答信号又は接続拒否応答信号の受信待機を再開することを特徴とする近距離無線通信装置。
【請求項６】
請求項１乃至５の何れかに記載した近距離無線通信装置において、
前記制御手段は、前記他の通信プロトコルの優先順位が前記一の通信プロトコルの優先順位よりも下位であると判定した場合に、前記通信相手側接続手段から前記接続手段への前記一の通信プロトコルに係る接続許可応答信号又は接続拒否応答信号の受信待機を中断することなく継続することを特徴とする近距離無線通信装置。
【請求項７】
請求項６に記載した近距離無線通信装置において、
前記制御手段は、前記通信相手側接続手段から前記接続手段への前記一の通信プロトコルに係る接続許可応答信号又は接続拒否応答信号の受信待機を中断することなく継続した後に、前記通信相手側接続手段からの前記一の通信プロトコルに係る接続許可応答信号又は接続拒否応答信号が前記接続手段により受信されたと判定した場合に、前記他の通信プロトコルに係る接続要求信号を前記接続手段から近距離無線通信回線を通じて前記通信相手側接続手段へ送信させることを特徴とする近距離無線通信装置。
【請求項８】
請求項１乃至７の何れかに記載した近距離無線通信装置において、
前記制御手段は、前記一の通信プロトコルに係る接続要求信号を前記接続手段から近距離無線通信回線を通じて前記通信相手側接続手段へ送信させたことで前記通信相手側接続手段から前記接続手段への前記一の通信プロトコルに係る接続許可応答信号又は接続拒否応答信号の受信待機を所定時間継続し、前記通信相手側接続手段から前記一の通信プロトコルに係る接続許可応答信号又は接続拒否応答信号が前記接続手段へ受信されることなく前記所定時間が経過したと判定した場合に、前記ユーザ操作に関する通知情報を通知手段から出力させることを特徴とする近距離無線通信装置。
【発明の詳細な説明】
【技術分野】
【０００１】
本発明は、通信プロトコルに係る接続要求信号を近距離無線通信回線を通じて受信した場合にユーザ操作に応じて通信プロトコルに係る接続許可応答信号又は接続拒否応答信号を近距離無線通信回線を通じて送信する通信相手側接続手段との間で通信プロトコルを接続可能な接続手段を備えた近距離無線通信装置に関する。
【背景技術】
【０００２】
近距離無線通信機能を有する近距離無線通信装置に搭載されている近距離無線通信モジュールにおいては、データ通信を規定する複数の通信プロトコルを通信相手装置の近距離無線通信モジュールとの間で同時接続（所謂マルチ接続）可能になっている（例えば特許文献１乃至３参照）。
【先行技術文献】
【特許文献】
【０００３】
【特許文献１】特開２００８−２７３３７０公報
【特許文献２】特開２００９−２５３６０１号公報
【特許文献３】特開２００９−２５３６０３号公報
【発明の概要】
【発明が解決しようとする課題】
【０００４】
近距離無線通信モジュールにおいては、通信プロトコルの接続要求が発生すると、通信プロトコルに係る接続要求信号を通信相手装置の近距離無線通信モジュールへ送信した後に、通信相手装置の近距離無線通信モジュールから通信プロトコルに係る接続許可応答信号を受信すれば、通信プロトコルに係る接続処理を開始し（接続要求が許可され）、一方、通信相手装置の近距離無線通信モジュールから通信プロトコルに係る接続拒否応答信号を受信すれば、通信プロトコルに係る接続処理を開始しない（接続要求が拒否される）ようになっている。
【０００５】
ところで、通信相手装置の仕様や通信プロトコルの種別によっては、通信プロトコルに係る接続要求信号を受信すると、その通信プロトコルの接続を許可するか拒否するかをユーザに対して問合せ、ユーザ操作が通信相手装置にて行われたことを条件として、通信プロトコルに係る接続許可応答信号又は接続拒否応答信号を送信する場合もある。そのため、近距離無線通信モジュールでは、通信相手装置の仕様や通信プロトコルの種別によっては、通信プロトコルに係る接続要求信号を送信した後に、ユーザ操作が通信相手装置にて行われないと、通信相手装置の近距離無線通信モジュールからの通信プロトコルに係る接続許可応答信号又は接続拒否応答信号の何れをも受信することができず、通信プロトコルに係る接続処理を開始するか否かを決定することができない。
【０００６】
その一方で、一の通信プロトコルに係る接続要求信号を送信し、通信相手装置の近距離無線通信モジュールからの一の通信プロトコルに係る接続許可応答信号又は接続拒否応答信号の受信待機中に、他の通信プロトコルに係る接続要求が発生する場合がある。しかしながら、この場合、近距離無線通信モジュールでは、通信相手装置の近距離無線通信モジュールからの一の通信プロトコルに係る接続許可応答信号又は接続拒否応答信号を受信待機中であるので、接続要求が発生した他の通信プロトコルに係る接続要求信号を通信相手側接続手段へ送信することができない。その結果、他の通信プロトコルに係る接続処理を速やかに開始することができず、他の通信プロトコルにより提供される機能を速やかに使用したいというユーザの要望に応えることができないという問題がある。
【０００７】
本発明は、上記した事情に鑑みてなされたものであり、その目的は、通信相手側接続手段からの一の通信プロトコルに係る接続許可応答信号又は接続拒否応答信号の受信待機中に、他の通信プロトコルに係る接続要求が発生した場合に、他の通信プロトコルにより提供される機能を速やかに使用したいというユーザの要望に適切に応えることができる近距離無線通信装置を提供することにある。
【課題を解決するための手段】
【０００８】
請求項１に記載した発明によれば、接続手段は、通信プロトコルに係る接続要求信号を近距離無線通信回線を通じて受信した場合にユーザ操作に応じて通信プロトコルに係る接続許可応答信号又は接続拒否応答信号を近距離無線通信回線を通じて送信する通信相手側接続手段との間で通信プロトコルを接続可能である。制御手段は、一の通信プロトコルに係る接続要求信号を接続手段から近距離無線通信回線を通じて通信相手側接続手段へ送信させたことで通信相手側接続手段から接続手段への一の通信プロトコルに係る接続許可応答信号又は接続拒否応答信号の受信待機中に、他の通信プロトコルに係る接続要求が発生したと判定すると、通信相手側接続手段から接続手段への一の通信プロトコルに係る接続許可応答信号又は接続拒否応答信号の受信待機を中断し、他の通信プロトコルに係る接続要求信号を接続手段から近距離無線通信回線を通じて通信相手側接続手段へ送信させる。
【０００９】
これにより、一の通信プロトコルに係る接続許可応答信号又は接続拒否応答信号の受信待機中に、他の通信プロトコルに係る接続要求が発生すると、一の通信プロトコルに係る接続許可応答信号又は接続拒否応答信号の受信待機を中断し、他の通信プロトコルに係る接続要求信号を送信することで、これ以降、他の通信プロトコルに係る接続許可応答信号が受信されれば、他の通信プロトコルに係る接続処理を速やかに開始することができ、他の通信プロトコルにより提供される機能を速やかに使用したいというユーザの要望に適切に応えることができる。
【００１０】
請求項２に記載した発明によれば、制御手段は、他の通信プロトコルの優先順位が一の通信プロトコルの優先順位よりも上位であると判定すると、通信相手側接続手段から接続手段への一の通信プロトコルに係る接続許可応答信号又は接続拒否応答信号の受信待機を中断し、他の通信プロトコルに係る接続要求信号を接続手段から近距離無線通信回線を通じて通信相手側接続手段へ送信させる。
【００１１】
これにより、予め通信プロトコルの優先順位を設定しておくことで、優先順位が上位の他の通信プロトコルに係る接続要求信号の送信を、優先順位が下位の一の通信プロトコルに係る接続許可応答信号又は接続拒否応答信号の受信待機よりも優先することができる。
【００１２】
請求項３に記載した発明によれば、制御手段は、通信相手側接続手段から接続手段への一の通信プロトコルに係る接続許可応答信号又は接続拒否応答信号の受信待機を中断し、一の通信プロトコルに係る接続要求信号を接続手段から近距離無線通信回線を通じて通信相手側接続手段へ送信させた後に、通信相手側接続手段からの他の通信プロトコルに係る接続許可応答信号又は接続拒否応答信号が接続手段により受信されたと判定すると、一の通信プロトコルに係る接続要求信号を接続手段から近距離無線通信回線を通じて通信相手側接続手段へ送信させる。
【００１３】
これにより、一の通信プロトコルに係る接続許可応答信号又は接続拒否応答信号の受信待機を中断したまま放置しておくことなく、他の通信プロトコルに係る接続許可応答信号又は接続拒否応答信号が受信されると、一の通信プロトコルに係る接続要求信号を送信することで、一の通信プロトコルに係る接続許可応答信号又は接続拒否応答信号の何れかを通信相手側接続手段から送信させることができ、一の通信プロトコルに係る接続許可応答信号又は接続拒否応答信号の受信待機を速やかに再開することができる。
【００１４】
請求項４に記載した発明によれば、制御手段は、通信相手側接続手段から接続手段への一の通信プロトコルに係る接続許可応答信号又は接続拒否応答信号の受信待機を中断し、他の通信プロトコルに係る接続要求信号を接続手段から近距離無線通信回線を通じて通信相手側接続手段へ送信させた後に、他の通信プロトコルに係る接続処理が正常終了又は異常終了したと判定すると、一の通信プロトコルに係る接続要求信号を接続手段から近距離無線通信回線を通じて通信相手側接続手段へ送信させる。
【００１５】
これにより、一の通信プロトコルに係る接続許可応答信号又は接続拒否応答信号の受信待機を中断したまま放置しておくことなく、他の通信プロトコルに係る接続処理が正常終了又は異常終了すると、一の通信プロトコルに係る接続要求信号を送信することで、一の通信プロトコルに係る接続許可応答信号又は接続拒否応答信号の何れかを通信相手側接続手段から送信させることができ、一の通信プロトコルに係る接続許可応答信号又は接続拒否応答信号の受信待機を速やかに再開することができる。
【００１６】
請求項５に記載した発明によれば、制御手段は、通信相手側接続手段から接続手段への一の通信プロトコルに係る接続許可応答信号又は接続拒否応答信号の受信待機を中断し、一の通信プロトコルに係る接続要求信号を接続手段から近距離無線通信回線を通じて通信相手側接続手段へ送信させた後に、通信相手側接続手段からの他の通信プロトコルに係る接続許可応答信号又は接続拒否応答信号が接続手段により受信されたと判定すると、通信相手側接続手段から接続手段への一の通信プロトコルに係る接続許可応答信号又は接続拒否応答信号の受信待機を再開する。
【００１７】
これにより、一の通信プロトコルに係る接続許可応答信号又は接続拒否応答信号の受信待機を中断したまま放置しておくことなく、他の通信プロトコルに係る接続許可応答信号又は接続拒否応答信号が受信されると、一の通信プロトコルに係る接続要求信号を送信しなくとも、一の通信プロトコルに係る接続許可応答信号又は接続拒否応答信号の受信待機を速やかに再開することができる。
【００１８】
請求項６に記載した発明によれば、制御手段は、他の通信プロトコルの優先順位が一の通信プロトコルの優先順位よりも下位であると判定すると、通信相手側接続手段から接続手段への一の通信プロトコルに係る接続許可応答信号又は接続拒否応答信号の受信待機を中断することなく継続する。
【００１９】
これにより、予め通信プロトコルの優先順位を設定しておくことで、優先順位が上位の一の通信プロトコルに係る接続許可応答信号又は接続拒否応答信号の受信待機を、優先順位が下位の他の通信プロトコルに係る接続要求信号の送信よりも優先することができる。
【００２０】
請求項７に記載した発明によれば、制御手段は、通信相手側接続手段から接続手段への一の通信プロトコルに係る接続許可応答信号又は接続拒否応答信号の受信待機を中断することなく継続した後に、通信相手側接続手段からの一の通信プロトコルに係る接続許可応答信号又は接続拒否応答信号が接続手段により受信されたと判定すると、他の通信プロトコルに係る接続要求信号を接続手段から近距離無線通信回線を通じて通信相手側接続手段へ送信させる。
【００２１】
これにより、優先順位が下位の他の通信プロトコルに係る接続要求信号の送信を放置しておくことなく、一の通信プロトコルに係る接続許可応答信号又は接続拒否応答信号が受信されると、他の通信プロトコルに係る接続要求信号を速やかに送信することができる。
【００２２】
請求項８に記載した発明によれば、制御手段は、一の通信プロトコルに係る接続要求信号を接続手段から近距離無線通信回線を通じて通信相手側接続手段へ送信させたことで通信相手側接続手段から接続手段への一の通信プロトコルに係る接続許可応答信号又は接続拒否応答信号の受信待機を所定時間継続し、通信相手側接続手段から接続手段へ一の通信プロトコルに係る接続許可応答信号又は接続拒否応答信号が受信されることなく所定時間が経過したと判定すると、ユーザ操作に係る通知情報を通知手段から出力させる。
【００２３】
これにより、一の通信プロトコルに係る接続許可応答信号又は接続拒否応答信号が受信されることなく所定時間が経過した旨をユーザに知らせることができ、一の通信プロトコルに係る接続許可応答信号又は接続拒否応答信号を送信させる操作、即ち、一の通信プロトコルの接続要求を許可するか拒否するかを選択する操作をユーザに対して促すことができる。
【図面の簡単な説明】
【００２４】
【図１】本発明の一実施形態を示す機能ブロック図
【図２】車載装置が実行する処理を示すフローチャート
【図３】図２相当図
【図４】図２相当図
【図５】シーケンス図
【図６】図５相当図
【図７】図５相当図
【図８】図５相当図
【図９】図５相当図
【図１０】図５相当図
【図１１】図５相当図
【図１２】図５相当図
【図１３】選択操作促進画面を示す図
【発明を実施するための形態】
【００２５】
以下、本発明をＢｌｕｅｔｏｏｔｈ（登録商標）（以下、ＢＴと称する）通信機能を有するＢＴ対応の車載装置（以下、単に車載装置と称する）に適用した一実施形態について、図面を参照して説明する。尚、ここでは、車載装置が搭載されている車両の車室内に、ＢＴ通信機能を有するＢＴ対応の携帯電話機（以下、単に携帯電話機と称する）が車室内に持込まれ、車載装置と携帯電話機とがＢＴ通信可能な状態にある場合を説明する。
【００２６】
ＢＴ通信システム１は、車両に搭載されている車載装置２（本発明でいう近距離無線通信装置に相当）と、車室内に持込まれた携帯電話機３とから構成される。車載装置２は、制御部４（本発明でいう制御手段に相当）と、ＢＴモジュール５（本発明でいう接続手段に相当）と、ＵＳＢ（Universal Serial Bus）モジュール６と、記憶部７と、音声処理部８と、表示制御部９と、操作入力部１０と、信号入力部１１等を備えて構成されている。制御部４と、ＵＳＢモジュール６と、記憶部７と、音声処理部８と、表示制御部９と、操作入力部１０と、信号入力部１１とは、制御基板１２に物理的に実装されており、ＢＴモジュール５は、制御基板１２とは別部材であるＢＴモジュール基板１３に物理的に実装されている。制御部４とＢＴモジュール５とはＵＳＢ接続されている。
【００２７】
制御部４は、周知のマイクロコンピュータからなるＣＰＵ、ＲＡＭ、ＲＯＭ、及びＩ／Ｏバス等を有し、車載装置２の通信動作やデータ管理動作等の動作全般を制御する。ＢＴモジュール５は、後述する携帯電話機３のＢＴモジュールとの間でＢＴ通信回線（本発明でいう近距離無線通信回線に相当）を接続し、ＢＴ通信回線を通じてＢＴ通信を実行する機能を有する。ＢＴモジュール５は、ＢＴの通信規格で規定されている複数のプロファイルとして、ハンズフリー通話を規定するＨＦＰ（Hands Free Profile）、電子メールデータの転送を規定するＭＡＰ（Message Access Profile）、仮想シリアルポート化したデータ通信を規定するＳＰＰ（Serial Port Profile）、インターネットへのダイヤルアップ接続を規定するＤＵＮ（Dial-up Networking Profile）、電話帳データの転送を規定するＰＢＡＰ（Phone Book Access Profile）、同じく電話帳データの転送を規定するＯＰＰ（Object Push Profile）、音データの転送を規定するＡ２ＤＰ（Advanced Audio Distribution Profile）、音データの制御に係る制御データの転送を規定するＡＶＲＣＰ（Audio/Video Remote Control Profile）等を同時接続（所謂マルチ接続）可能に構成されている。これらＨＦＰ、ＭＡＰ、ＳＰＰ、ＤＵＮ、ＰＢＡＰ、ＯＰＰ、Ａ２ＤＰ、ＡＶＲＣＰ等は機能毎に定義された通信プロトコルを意味している。
【００２８】
ＵＳＢモジュール６は、ＵＳＢ接続ケーブル１４の接続端子１４ａを着脱可能な接続端子６ａを有し、ＵＳＢ接続ケーブル１４の一方の接続端子１４ａが接続端子６ａに接続され、且つＵＳＢ接続ケーブル１４の他方の接続端子１４ｂが後述する携帯電話機３のＵＳＢモジュールの接続端子に接続されている状態で、ＵＳＢ通信回線を携帯電話機３のＵＳＢモジュールとの間で接続し、ＵＳＢ通信回線を通じてＵＳＢ通信を実行する機能を有する。
【００２９】
記憶部７は、各種データを記憶する記憶領域を有して構成されている。この場合、ＢＴモジュール５が携帯電話機３のＢＴモジュールとの間でＭＡＰを接続すれば、携帯電話機３からＢＴモジュール５へ転送された電子メールデータ（電子メールの発信先を特定可能な差出人情報、電子メールが携帯電話機３へ受信された日時を特定可能な受信日時情報、電子メールの種別を特定可能な種別情報、例えば差出人が入力した電子メールの件名を特定可能な件名情報等）が記憶部７に記憶される。又、ＢＴモジュール５が携帯電話機３のＢＴモジュールとの間でＰＢＡＰを接続すれば、携帯電話機３からＢＴモジュール５へ転送された電話帳データ、車載装置２からの発信動作又は当該車載装置２との間でＨＦＰを接続している携帯電話機３からの発信動作に係る発信時刻と発信電話番号との対応を表す発信履歴データ、車載装置２との間でＨＦＰを接続している携帯電話機３の着信動作に係る着信時刻と着信電話番号との対応を表す着信履歴データ等が記憶部７に記憶される。
【００３０】
音声処理部８には車室内にあって例えばハンドルの近傍等のユーザが発した音声を集音し易い部位に配置されているマイクロホン１５が接続されていると共に、車載装置２の外部に配置されているオーディオアンプ１６が接続されており、オーディオアンプ１６にはスピーカ１７ａ、１７ｂが接続されている。
【００３１】
音声処理部８は、ＢＴモジュール５と後述する携帯電話機３のＢＴモジュールとが両者の間でＨＦＰを接続している状態では、ユーザが発した音声をマイクロホン１５から送話音声データとして入力すると、その入力した送話音声データを音声処理してＢＴモジュール５へ出力し、ＢＴモジュール５から受話音声データを入力すると、その入力した受話音声データをオーディオアンプ１６へ出力する。
【００３２】
又、音声処理部８は、ＢＴモジュール５と後述する携帯電話機３のＢＴモジュールとが両者の間でＡ２ＤＰ及びＡＶＲＣＰを接続している状態では、携帯電話機３のＢＴモジュールからＡ２ＤＰ及びＡＶＲＣＰによりＢＴモジュール５へ転送された音データをオーディオアンプ１６へ出力する。又、音声処理部８は、ＵＳＢモジュール６と後述する携帯電話機３のＵＳＢモジュールとが両者の間でＵＳＢ通信を実行可能な状態では、携帯電話機３のＵＳＢモジュールからＵＳＢ通信回線によりＵＳＢモジュール６へ転送された音データをオーディオアンプ１６へ出力する。
【００３３】
オーディオアンプ１６は、音声処理部８から受話音声データや音データを入力すると、その入力した受話音声データや音データを増幅してスピーカ１７ａ、１７ｂから出力させる。又、オーディオアンプ１６にはチューナーデッキ１８も接続されており、オーディオアンプ１６は、チューナーデッキ１８が例えば音楽用記録媒体から再生した楽曲データを当該チューナーデッキ１８から入力すると、その入力した楽曲データをも増幅してスピーカ１７ａ、１７ｂから出力させる。
【００３４】
ディスプレイ装置１９は、各種表示画面を表示する表示装置２０（本発明でいう通知手段に相当）と、表示画面上にタッチスイッチを形成する操作装置２１とを備えて構成されている。表示制御部９は、制御部４から表示指令信号を入力すると、その入力した表示指令信号に基づいてディスプレイ装置１９における表示装置２０の表示動作を制御する。操作入力部１０は、ユーザが表示画面上に形成されているタッチスイッチを操作したことに応じて操作装置２１から操作検出信号を入力すると、その入力した操作検出信号を制御部４へ出力し、制御部４は、操作入力部１０から入力した操作検出信号を解析してユーザの操作を特定する。
【００３５】
信号入力部１１は、車両に搭載されているＡＣＣ（アクセサリ）スイッチに接続されており、ＡＣＣスイッチから出力されたＡＣＣ信号を入力すると、その入力したＡＣＣ信号を制御部４へ出力し、制御部４は、信号入力部１１から入力したＡＣＣ信号のオンオフに基づいて装置電源をオンオフする。即ち、制御部４は、ＡＣＣ信号がオフからオンに遷移したタイミングで装置電源をオンし（車載装置２を起動し）、ＡＣＣ信号がオンからオフに遷移したタイミングで装置電源をオフする（車載装置２を停止する）。
【００３６】
携帯電話機３は、制御部２２と、電話通信部２３と、ＢＴモジュール２４（本発明でいう通信相手側接続手段に相当）と、ＵＳＢモジュール２５と、キー入力部２６と、記憶部２７と、表示部２８と、マイクロホン２９と、スピーカ３０と、電力供給部３１等を備えて構成されている。
【００３７】
制御部２２は、周知のマイクロコンピュータからなるＣＰＵ、ＲＡＭ、ＲＯＭ、及びＩ／Ｏバス等を有し、携帯電話機３の通信動作やデータ管理動作等の動作全般を制御する。電話通信部２３は、通信網３３との間で電話通信を実行する。尚、通信網３３は携帯電話基地局や基地局制御装置等の周知の携帯電話通信サービスを提供する設備を含むものである。ＢＴモジュール２４は、前述した車載装置２のＢＴモジュール５との間でＢＴ通信回線を接続し、ＢＴ通信回線を通じてＢＴ通信を実行する機能を有し、ＢＴの通信規格で規定されている複数のプロファイルとして、ＨＦＰ、ＭＡＰ、ＳＰＰ、ＤＵＮ、ＰＢＡＰ、ＯＰＰ、Ａ２ＤＰ、ＡＶＲＣＰ等を同時接続可能に構成されている。
【００３８】
ＵＳＢモジュール２５は、ＵＳＢ接続ケーブル１４の接続端子１４ｂを着脱可能な接続端子２５ａを有し、ＵＳＢ接続ケーブル１４の一方の接続端子１４ａが車載装置２のＵＳＢモジュール６の接続端子６ａに接続され、且つＵＳＢ接続ケーブル１４の他方の接続端子１４ｂが接続端子２５ａに接続されている状態で、ＵＳＢ通信回線を車載装置２のＵＳＢモジュール６との間で接続し、ＵＳＢ通信回線を通じてＵＳＢ通信を実行する機能を有する。
【００３９】
キー入力部２６は、ユーザが操作可能な各種キーを備え、ユーザがキーを操作したことに応じて操作検出信号を制御部２２へ出力し、制御部２２は、キー入力部２６から入力した操作検出信号を解析してユーザの操作を特定する。記憶部２７は、各種データを記憶する記憶領域を有して構成されている。表示部２８は、制御部２２から表示指令信号を入力すると、その入力した表示指令信号に基づいて各種表示画面を表示する。又、制御部２２は、ユーザが発した音声をマイクロホン２９から送話音声データとして入力すると、その入力した送話音声データを音声処理し、電話通信部２３から受話音声データを入力すると、その入力した受話音声データをスピーカ３０から音声として出力させる。電力供給部３１は、本体に対して着脱可能なバッテリ３２から放電される電力を動作電力として各機能ブロックへ供給する。
【００４０】
上記した構成では、ＢＴモジュール５のデータ通信相手であるＢＴモジュール２４の仕様やプロファイルの種別により、ＢＴモジュール５がプロファイル接続要求信号（通信プロトコルに係る接続要求信号）をＢＴモジュール２４へ送信した場合に、そのプロファイルの接続要求を許可するプロファイル接続許可応答信号（通信プロトコルに係る接続許可応答信号）又はプロファイルの接続要求を拒否するプロファイル接続拒否応答信号（通信プロトコルに係る接続拒否応答信号）をＢＴモジュール２４がＢＴモジュール５へ自動的に（ユーザが携帯電話機３を操作したことを条件とせずに）送信する場合と、プロファイル接続許可応答信号又は接続拒否応答信号をユーザが携帯電話機３を操作したことを条件としてＢＴモジュール２４がＢＴモジュール５へ送信する場合とがある。プロファイル接続許可応答信号又は接続拒否応答信号をＢＴモジュール２４がＢＴモジュール５へ自動的に送信するプロファイルとしては例えばＨＦＰやＳＰＰ等が挙げられ、プロファイル接続許可応答信号又は接続拒否応答信号をユーザが携帯電話機３を操作したことを条件としてＢＴモジュール２４がＢＴモジュール５へ送信するプロファイルとしては例えばＰＢＡＰやＤＵＮ等が挙げられる。これらは例えば個人情報の保護や課金等の観点から携帯電話機３を製造する製造メーカが決定する。尚、携帯電話機３を使用するユーザが携帯電話機３を購入した後に設定変更しても良い。
【００４１】
このような事情から、ＢＴモジュール５とＢＴモジュール２４とは以下のようにしてプロファイルを接続する。車載装置２において、制御部４は、ＢＴ通信回線がＢＴモジュール５とＢＴモジュール２４との間で接続されている状態では、プロファイルの接続要求が発生すると、プロファイル接続要求信号をＢＴモジュール５からＢＴ通信回線を通じてＢＴモジュール２４へ送信させる。
【００４２】
携帯電話機３において、制御部２２は、ＢＴモジュール５からプロファイル接続要求信号をＢＴ通信回線を通じてＢＴモジュール２４により受信したと判定すると、その接続要求が発生したプロファイルの種別を判定し、その接続要求されたプロファイルがプロファイル接続許可応答信号又は接続拒否応答信号を車載装置２へ自動的に送信するプロファイルであり、そのプロファイルを接続可能である（対応している）と判定すると、プロファイル接続許可応答信号をＢＴモジュール２４からＢＴ通信回線を通じてＢＴモジュール５へ送信させ、一方、そのプロファイルを接続不可能である（対応していない）と判定すると、プロファイル接続拒否応答信号をＢＴモジュール２４からＢＴ通信回線を通じてＢＴモジュール５へ送信させる。
【００４３】
又、制御部２２は、その接続要求されたプロファイルがプロファイル接続許可応答信号又は接続拒否応答信号をユーザが携帯電話機３を操作したことを条件として車載装置２へ送信するプロファイルであると判定すると、そのプロファイルの接続を許可するか拒否するかをユーザに対して問合わせる接続可否問合画面（図示せず）を表示部２５に表示させ、ユーザがプロファイルの接続を許可する操作をキー入力部２６にて行ったと判定すると、プロファイル接続許可応答信号をＢＴモジュール２４からＢＴ通信回線を通じてＢＴモジュール５へ送信させ、一方、ユーザがプロファイルの接続を拒否する操作をキー入力部２６にて行ったと判定すると、プロファイル接続拒否応答信号をＢＴモジュール２４からＢＴ通信回線を通じてＢＴモジュール５へ送信させる。
【００４４】
車載装置２において、制御部４は、ＢＴモジュール２４からプロファイル接続許可応答信号をＢＴ通信回線を通じてＢＴモジュール５により受信したと判定すると、プロファイル接続処理を開始し（接続要求が許可され）、プロファイル接続処理を正常に終了すると、プロファイルをＢＴモジュール５とＢＴモジュール２４との間で接続する。一方、制御部４は、ＢＴモジュール２４からプロファイル接続拒否応答信号をＢＴ通信回線を通じてＢＴモジュール５により受信したと判定すると、又はプロファイル接続要求信号を送信させてから何れの信号をＢＴ通信回線を通じてＢＴモジュール５により受信することなく所定時間が経過したと判定すると、プロファイル接続処理を開始しない（接続要求が拒否される）。
【００４５】
次に、上記した構成の作用について、図２乃至図９を参照して説明する。図２乃至図４は車載装置２の制御部４が実行する処理をフローチャートにより示している。
車載装置２において、制御部４は、車載装置２の装置電源がオン（ＡＣＣスイッチがオン）している状態ではメイン処理を実行し、メイン処理におけるサブ処理としてプロファイル接続要求判定処理、及びプロファイル接続応答信号受信判定処理を実行する。以下、これら各処理について順次説明する。
【００４６】
（１）メイン処理（図２参照）
制御部４は、車載装置２の装置電源がオンしたと判定すると、メイン処理を開始し、プロファイル接続要求判定処理、及びプロファイル接続応答信号受信判定処理を装置電源がオフしたと判定するまで所定周期で定期的に実行する（ステップＳ１乃至Ｓ３）。
【００４７】
（２）プロファイル接続要求判定処理（図３参照）
制御部４は、メイン処理からプロファイル接続要求判定処理へ移行し、プロファイル接続要求判定処理を開始すると、何れかのプロファイルの接続要求が発生したか否かを判定する（ステップＳ１１）。制御部４は、何れかのプロファイルの接続要求が発生したと判定すると（ステップＳ１１にて「ＹＥＳ」）、別の何れかのプロファイルに係るプロファイル接続応答信号（プロファイル接続許可応答信号又は接続拒否応答信号）を受信待機中であるか否かを判定する（ステップＳ１２）。
【００４８】
制御部４は、別の何れかのプロファイルに係るプロファイル接続応答信号を受信待機中でないと判定すると（ステップＳ１２にて「ＮＯ」）、その接続要求が発生したプロファイルに係るプロファイル接続要求信号をＢＴモジュール５からＢＴ通信回線を通じてＢＴモジュール２４へ送信させ（ステップＳ１３）、タイマ機能による所定時間（例えば２０秒）の計時を開始し（ステップＳ１４）、プロファイル接続要求判定処理を終了してメイン処理へリターンする。
【００４９】
一方、制御部４は、別の何れかのプロファイルに係るプロファイル接続応答信号を受信待機中であると判定すると（ステップＳ１２にて「ＹＥＳ」）、その接続要求が発生したプロファイルの優先順位と、プロファイル接続応答信号を受信待機中のプロファイルの優先順位とを比較する（ステップＳ１５）。尚、プロファイルの優先順位は記憶部７に予め記憶されており、制御部４は、記憶部７に記憶されている優先順位を読出して比較する。
【００５０】
制御部４は、接続要求が発生したプロファイルの優先順位がプロファイル接続応答信号を受信待機中のプロファイルの優先順位よりも上位であると判定すると（ステップＳ１６にて「ＹＥＳ」）、ＢＴモジュール２４からＢＴモジュール５へのプロファイル接続応答信号の受信待機を中断し（ステップＳ１７）、プロファイル接続応答信号の受信待機を中断したことを示す受信待機中断フラグを設定し（ステップＳ１８）、その接続要求が発生したプロファイルに係るプロファイル接続要求信号をＢＴモジュール５からＢＴ通信回線を通じてＢＴモジュール２４へ送信させ（ステップＳ１９）、タイマ機能による所定時間（例えば２０秒）の計時を開始し（ステップＳ２０）、プロファイル接続要求判定処理を終了してメイン処理へリターンする。
【００５１】
一方、制御部４は、接続要求が発生したプロファイルの優先順位がプロファイル接続応答信号を受信待機中のプロファイルの優先順位よりも上位でない（同位又は下位である）と判定すると（ステップＳ１６にて「ＮＯ」）、ＢＴモジュール２４からＢＴモジュール５へのプロファイル接続応答信号の受信待機を継続し（中断することなく）、その接続要求が発生したプロファイルに係るプロファイル接続要求信号の送信を待機し（ステップＳ２１）、接続要求が発生したプロファイルに係るプロファイル接続要求信号の送信を待機したことを示す送信待機フラグを設定し（ステップＳ２２）、プロファイル接続要求判定処理を終了してメイン処理へリターンする。
【００５２】
（３）プロファイル接続応答信号受信判定処理（図４参照）
制御部４は、メイン処理からプロファイル接続応答信号受信判定処理へ移行し、プロファイル接続応答信号受信判定処理を開始すると、ＢＴモジュール２４からＢＴモジュール５へのプロファイル接続応答信号を受信待機中であるか否かを判定する（ステップＳ３１）。制御部４は、プロファイル接続応答信号を受信待機中であると判定すると（ステップＳ３１にて「ＹＥＳ」）、プロファイル接続許可応答信号又は接続拒否応答信号を受信したか否かを判定すると共に、タイマ機能による所定時間の計時が満了したか（タイムアップしたか否か）を判定する（ステップＳ３２乃至Ｓ３４）。制御部４は、タイムアップするよりも先に、即ち、プロファイル接続要求信号を送信させてから所定時間内にＢＴモジュール２４からプロファイル接続許可応答信号をＢＴモジュール５により受信したと判定すると（ステップＳ３２にて「ＹＥＳ」）、タイマ機能による所定時間の計時を終了する（ステップＳ３５）。そして、制御部４は、プロファイル接続処理を開始し（接続要求が許可され）（ステップＳ３６）、プロファイル接続処理を正常終了すると、受信待機中断フラグ又は送信待機フラグを設定中であるか否かを判定する（ステップＳ３７、Ｓ３８）。尚、制御部４は、プロファイル接続処理を開始したが、プロファイル接続処理を正常終了しなかった（異常終了した）場合には、プロファイル接続要求をキャンセルした後に、受信待機中断フラグ又は送信待機フラグを設定中であるか否かを判定すれば良い。
【００５３】
又、制御部４は、タイムアップするよりも先に、即ち、プロファイル接続要求信号を送信させてから所定時間内にＢＴモジュール２４からプロファイル接続拒否応答信号をＢＴモジュール５により受信したと判定すると（ステップＳ３３にて「ＹＥＳ」）、タイマ機能による所定時間の計時を終了する（ステップＳ３９）。そして、制御部４は、プロファイル接続処理を開始することなく（接続要求が拒否され）、受信待機中断フラグ又は送信待機フラグを設定中であるか否かを判定する（ステップＳ３７、Ｓ３８）。
【００５４】
制御部４は、受信待機中断フラグを設定中である、即ち、プロファイル接続応答信号の受信待機を中断したと判定すると（ステップＳ３７にて「ＹＥＳ」）、その受信待機を中断したプロファイル接続要求信号をＢＴモジュール５からＢＴモジュール２４へ送信させ（ステップＳ４０）、その受信待機を中断したプロファイル接続応答信号の受信待機を再開し（ステップＳ４１）、受信待機中断フラグを解除し（ステップＳ４２）、プロファイル接続応答信号受信判定処理を終了してメイン処理へリターンする。この場合、ＢＴモジュール２４は、ＢＴモジュール５からプロファイル接続要求信号を受信した後では、ユーザが携帯電話機３にてプロファイルの接続許可操作を行うと、プロファイル接続許可応答信号をＢＴモジュール５へ送信し、一方、ユーザが携帯電話機３にてプロファイルの接続拒否操作を行うと、プロファイル接続拒否応答信号をＢＴモジュール５へ送信する。
【００５５】
尚、制御部４は、タイムアップするよりも先にＢＴモジュール２４からプロファイル接続許可応答信号又接続拒否応答信号の何れかをＢＴモジュール５により受信したと判定し、受信待機中断フラグを設定中であると判定した場合に（ステップＳ３７にて「ＹＥＳ」）、その受信待機を中断したプロファイル接続要求信号をＢＴモジュール５からＢＴモジュール２４へ送信させることなく、その受信待機を中断したプロファイル接続応答信号の受信待機を再開するようにしても良い（ステップＳ４１）。
【００５６】
即ち、制御部４は、プロファイル接続応答信号の受信待機を中断した場合には、その受信待機を中断したプロファイル接続要求信号をＢＴモジュール５からＢＴモジュール２４へ再送信させることを契機とし、プロファイル接続応答信号の受信待機を再開しても良いし、先に（プロファイル接続応答信号の受信待機を中断する前に）プロファイル接続要求信号をＢＴモジュール５からＢＴモジュール２４へ既に送信させていることから、その受信待機を中断したプロファイル接続要求信号をＢＴモジュール５からＢＴモジュール２４へ再送信させることなく、プロファイル接続応答信号の受信待機を再開しても良い。
【００５７】
一方、制御部４は、送信待機フラグを設定中である、即ち、プロファイル接続要求信号送信を待機したと判定すると（ステップＳ３８にて「ＹＥＳ」）、その送信を待機したプロファイル接続要求信号をＢＴモジュール５からＢＴモジュール２４へ送信させ（ステップＳ４３）、送信待機フラグを解除し（ステップＳ４４）、プロファイル接続応答信号受信判定処理を終了してメイン処理へリターンする。
【００５８】
又、制御部４は、タイムアップした、即ち、プロファイル接続要求信号を送信させてから所定時間内にＢＴモジュール２４からプロファイル接続許可応答信号又は接続拒否応答信号の何れもＢＴモジュール５により受信しなかったと判定すると（ステップＳ３４にて「ＹＥＳ」）、図１３に示すように、例えば「プロファイルの接続許可／接続拒否を携帯電話機により選択して下さい」という選択操作促進画面４１（本発明でいう通知情報に相当）を表示装置２０に表示させ（ステップＳ４５）、上記したＳ３７、Ｓ３８以降を実行し、プロファイル接続応答信号受信判定処理を終了してメイン処理へリターンする。尚、制御部４は、ユーザが運転中に携帯電話機３を操作しないように選択操作促進画面４１を車両停止中に表示させることが望ましい。
【００５９】
上記した一連の処理を具体的に説明する。ここでは、車載装置２がＰＢＡＰ接続要求信号を携帯電話機３へ送信した後に何れかのプロファイルの接続要求が発生するよりも先に、携帯電話機３がＰＢＡＰ接続応答信号（ＰＢＡＰ接続許可応答信号又はＰＢＡＰ接続拒否応答信号）を車載装置２へ送信した場合、車載装置２がＰＢＡＰ接続要求信号を携帯電話機３へ送信した後に携帯電話機３からＰＢＡＰ接続応答信号を受信するよりも先に、ＰＢＡＰよりも優先順位が上位のプロファイルであるＳＰＰの接続要求が発生した場合、車載装置２がＰＢＡＰ接続要求信号を携帯電話機３へ送信した後に携帯電話機３からＰＢＡＰ接続応答信号を受信するよりも先に、ＰＢＡＰよりも優先順位が下位のプロファイルであるＡＶＲＣＰの接続要求が発生した場合を説明する。
【００６０】
（ａ）車載装置２がＰＢＡＰ接続要求信号を携帯電話機３へ送信した後に何れかのプロファイルの接続要求が発生するよりも先に、携帯電話機３がＰＢＡＰ接続応答信号を車載装置２へ送信した場合
制御部４は、ＰＢＡＰ接続要求信号をＢＴモジュール５からＢＴモジュール２４へ送信させると、ＢＴモジュール２４からＢＴモジュール５へのＰＢＡＰ接続応答信号の受信待機を開始する。ここで、制御部４は、図５に示すように、携帯電話機３を使用するユーザがＰＢＡＰの接続許可の操作をキー入力部２６にて行ったことに応じてＢＴモジュール２４からＰＢＡＰ接続許可応答信号が送信され、ＰＢＡＰ接続許可応答信号をＢＴモジュール５により受信したと判定すると、ＢＴモジュール２４からＢＴモジュール５へのＰＢＡＰ接続応答信号の受信待機を終了し、ＰＢＡＰ接続処理を開始する（ＰＢＡＰの接続要求を許可する）。
【００６１】
又、制御部４は、図６に示すように、携帯電話機３を使用するユーザがＰＢＡＰの接続拒否の操作をキー入力部２６にて行ったことに応じてＢＴモジュール２４からＰＢＡＰ接続拒否応答信号が送信され、ＰＢＡＰ接続拒否応答信号をＢＴモジュール５により受信したと判定すると、ＢＴモジュール２４からＢＴモジュール５へのＰＢＡＰ接続応答信号の受信待機を終了し、ＰＢＡＰ接続処理を開始しない（ＰＢＡＰの接続要求を拒否する）。
【００６２】
（ｂ）車載装置２がＰＢＡＰ接続要求信号を携帯電話機３へ送信した後に携帯電話機３からＰＢＡＰ接続応答信号を受信するよりも先に、ＰＢＡＰよりも優先順位が上位のプロファイルであるＳＰＰの接続要求が発生した場合
制御部４は、ＰＢＡＰ接続要求信号をＢＴモジュール５からＢＴモジュール２４へ送信させると、ＢＴモジュール２４からＢＴモジュール５へのＰＢＡＰ接続応答信号の受信待機を開始する。ここで、制御部４は、図７乃至図９に示すように、携帯電話機３を使用するユーザが接続許可又は接続拒否の操作を行うよりも先に、即ち、ＰＢＡＰ接続許可応答信号又は接続拒否応答信号をＢＴモジュール５により受信するよりも先に、ＰＢＡＰよりも優先順位が上位のＳＰＰの接続要求が発生したと判定すると、ＢＴモジュール２４からＢＴモジュール５へのＰＢＡＰ接続応答信号の受信待機を中断し、ＳＰＰ接続要求信号をＢＴモジュール５からＢＴモジュール２４へ送信させる。
【００６３】
そして、制御部４は、ＢＴモジュール２４からＢＴモジュール５へのＳＰＰ接続応答信号（ＳＰＰ接続許可応答信号又はＳＰＰ接続拒否応答信号のうち何れか）の受信待機を開始した後に、図７に示すように、携帯電話機３がＳＰＰの接続要求を許可する設定であることに応じてＢＴモジュール２４からＳＰＰ接続許可応答信号が自動的に送信され、ＳＰＰ接続許可応答信号をＢＴモジュール５により受信したと判定すると、ＢＴモジュール２４からＢＴモジュール５へのＳＰＰ接続応答信号の受信待機を終了する。そして、制御部４は、ＳＰＰ接続処理を開始し（ＳＰＰの接続要求を許可し）、ＳＰＰをＢＴモジュール２４からＢＴモジュール５との間で接続し、ＰＢＡＰ接続要求信号をＢＴモジュール５からＢＴモジュール２４へ再送信させ、中断したＢＴモジュール２４からＢＴモジュール５へのＰＢＡＰ接続応答信号の受信待機を再開する。
【００６４】
一方、制御部４は、図８に示すように、携帯電話機３がＳＰＰの接続要求を拒否する設定であることに応じてＢＴモジュール２４からＳＰＰ接続拒否応答信号が自動的に送信され、ＳＰＰ接続拒否応答信号をＢＴモジュール５により受信したと判定すると、ＢＴモジュール２４からＢＴモジュール５へのＳＰＰ接続応答信号の受信待機を終了する。そして、制御部４は、ＳＰＰ接続処理を開始することなく（ＳＰＰの接続要求を拒否し）、ＰＢＡＰ接続要求信号をＢＴモジュール５からＢＴモジュール２４へ再送信させ、中断したＢＴモジュール２４からＢＴモジュール５へのＰＢＡＰ接続応答信号の受信待機を再開する。
【００６５】
又、制御部４は、図９に示すように、何らかの事情によりＢＴモジュール２４からＳＰＰ接続応答信号が送信されず、ＳＰＰ接続要求信号をＢＴモジュール５から送信させた後にＳＰＰ接続応答信号をＢＴモジュール５により受信することなく所定時間が経過したと判定すると、この場合も、ＢＴモジュール２４からＢＴモジュール５へのＳＰＰ接続応答信号の受信待機を終了する。そして、制御部４は、ＳＰＰ接続処理を開始することなく、ＰＢＡＰ接続要求信号をＢＴモジュール５からＢＴモジュール２４へ再送信させ、中断したＢＴモジュール２４からＢＴモジュール５へのＰＢＡＰ接続応答信号の受信待機を再開する。
【００６６】
（ｃ）車載装置２がＰＢＡＰ接続要求信号を携帯電話機３へ送信した後に携帯電話機３がＰＢＡＰ接続応答信号を受信するよりも先に、ＰＢＡＰよりも優先順位が下位のプロファイルであるＡＶＲＣＰの接続要求が発生した場合
制御部４は、ＰＢＡＰ接続要求信号をＢＴモジュール５からＢＴモジュール２４へ送信させると、ＢＴモジュール２４からＢＴモジュール５へのＰＢＡＰ接続応答信号の受信待機を開始する。ここで、制御部４は、図１０乃至図１２に示すように、携帯電話機３を使用するユーザが接続許可又は接続拒否の操作をキー入力部２６にて行うよりも先に、即ち、ＰＢＡＰ接続許可応答信号又は接続拒否応答信号をＢＴモジュール５により受信するよりも先に、ＰＢＡＰよりも優先順位が下位のＡＶＲＣＰの接続要求が発生したと判定すると、ＢＴモジュール２４からＢＴモジュール５へのＰＢＡＰ接続応答信号の受信待機を継続する（中断しない）。
【００６７】
そして、制御部４は、図１０に示すように、携帯電話機３を使用するユーザがＰＢＡＰの接続許可の操作をキー入力部２６にて行ったことに応じてＢＴモジュール２４からＰＢＡＰ接続許可応答信号が送信され、ＰＢＡＰ接続許可応答信号をＢＴモジュール５により受信したと判定すると、ＢＴモジュール２４からＢＴモジュール５へのＰＢＡＰ接続応答信号の受信待機を終了する。そして、制御部４は、ＰＢＡＰ接続処理を開始し、ＡＶＲＣＰ接続要求信号をＢＴモジュール５からＢＴモジュール２４へ送信させ、ＢＴモジュール２４からＢＴモジュール５へのＡＶＲＣＰ接続応答信号の受信待機を開始する。
【００６８】
一方、制御部４は、図１１に示すように、携帯電話機３を使用するユーザがＰＢＡＰの接続拒否の操作をキー入力部２６にて行ったことに応じてＢＴモジュール２４からＰＢＡＰ接続拒否応答信号が送信され、ＰＢＡＰ接続拒否応答信号をＢＴモジュール５により受信したと判定すると、ＢＴモジュール２４からＢＴモジュール５へのＰＢＡＰ接続応答信号の受信待機を終了する。そして、制御部４は、ＰＢＡＰ接続処理を開始することなく、ＡＶＲＣＰ接続要求信号をＢＴモジュール５からＢＴモジュール２４へ送信させ、ＢＴモジュール２４からＢＴモジュール５へのＡＶＲＣＰ接続応答信号の受信待機を開始する。
【００６９】
又、制御部４は、図１２に示すように、何らかの事情によりＢＴモジュール２４からＰＢＡＰ接続応答信号が送信されず、ＰＢＡＰ接続要求信号をＢＴモジュール５から送信させた後にＰＢＡＰ接続応答信号をＢＴモジュール５により受信することなく所定時間が経過したと判定すると、この場合も、ＢＴモジュール２４からＢＴモジュール５へのＰＢＡＰ接続応答信号の受信待機を終了する。そして、制御部４は、ＰＢＡＰ接続処理を開始することなく、ＡＶＲＣＰ接続要求信号をＢＴモジュール５からＢＴモジュール２４へ送信させ、ＢＴモジュール２４からＢＴモジュール５へのＡＶＲＣＰ接続応答信号の受信待機を開始する。
【００７０】
以上に説明したように本実施形態によれば、車載装置２において、優先順位が下位のプロファイル接続応答信号を受信待機中に、優先順位が上位のプロファイルの接続要求が発生すると、優先順位が下位のプロファイル接続応答信号の受信待機を中断し、優先順位が上位のプロファイル接続要求信号を送信するようにしたので、優先順位が上位のプロファイル接続要求信号の送信を、優先順位が下位のプロファイル接続応答信号の受信待機よりも優先することができる。そして、これ以降、優先順位が上位のプロファイル接続要求信号を送信した後に、優先順位が上位のプロファイル接続許可応答信号が受信されると、優先順位が上位のプロファイル接続処理を速やかに開始することができ、優先順位が上位のプロファイルにより提供される機能を速やかに使用したいというユーザの要望に適切に応えることができる。
【００７１】
又、優先順位が上位のプロファイル接続応答信号を受信待機中に、優先順位が下位のプロファイルの接続要求が発生すると、優先順位が上位のプロファイル接続応答信号の受信待機を中断することなく継続するようにしたので、優先順位が上位のプロファイル接続応答信号の受信待機を、優先順位が下位のプロファイル接続要求信号の送信よりも優先することができる。
【００７２】
又、プロファイル接続応答信号の受信待機を所定時間継続し、プロファイル接続応答信号が受信されることなく所定時間が経過すると、その旨を示す選択操作促進画面４１を表示するようにしたので、プロファイルの接続要求を許可するか拒否するかを選択する操作をユーザに対して促すことができる。
【００７３】
本発明は、上記した実施形態にのみ限定されるものではなく、以下のように変形又は拡張することができる。
近距離無線通信装置は、車載装置２に限らず、ＢＴモジュール５と同等の機能を有するＢＴモジュールを備える構成であれば、周知のナビゲーション機能を有するナビゲーション装置等であっても良く、又、車両に搭載されない装置であっても良い。又、近距離無線通信装置のデータ通信相手である通信相手装置は、携帯電話機３に限らず、ＢＴモジュール２４と同等の機能を有するＢＴモジュールを備える構成であれば、携帯情報端末等であっても良く、又、ユーザが携帯不可能な固定端末であっても良い。
【００７４】
プロファイルの接続要求を許可するか拒否するかを選択する操作をユーザに対して促す方法としては、選択操作促進画面４１を表示する視覚的な方法に限らず、その旨を示す音声ガイダンスを出力する聴覚的な方法であっても良く、又、それら視覚的な方法と聴覚的な方法とを併用しても良い。
【００７５】
タイムアップした場合、即ち、プロファイル接続要求信号を送信させてから所定時間内にプロファイル接続応答信号を受信しなかったと判定した場合に、選択操作促進画面４１を表示させることで、プロファイルの接続要求を許可するか拒否するかを選択する操作をユーザに対して促すことに限らず、プロファイルの接続応答信号の受信待機を中断したと判定した場合や、プロファイルの接続応答信号の受信待機を中断した回数が所定回数に到達したと判定した場合等にも、何らかの通知をユーザに対して行っても良い。
【００７６】
プロファイル毎の優先順位を設定する場合に、例えばＰＢＡＰやＯＰＰの優先順位を他のプロファイルの優先順位よりも上位に設定することで、電話帳データの転送を他のプロファイルの機能よりも優先させることができ、又、例えばＡ２ＤＰやＡＶＲＣＰの優先順位を他のプロファイルの優先順位よりも上位に設定することで、携帯電話機３に記憶されている音データ（楽曲データ）の転送を他のプロファイルの機能よりも優先させることができる。
【符号の説明】
【００７７】
図面中、２は車載装置（近距離無線通信装置）、４は制御部（制御手段）、５はＢＴモジュール（接続手段）、２０は表示装置（通知手段）、２４はＢＴモジュール（通信相手側接続手段）である。
【図１】
0005273215.tif 000002
【図２】
0005273215.tif 000003
【図３】
0005273215.tif 000004
【図４】
0005273215.tif 000005
【図５】
0005273215.tif 000006
【図６】
0005273215.tif 000007
【図７】
0005273215.tif 000008
【図８】
0005273215.tif 000009
【図９】
0005273215.tif 000010
【図１０】
0005273215.tif 000011
【図１１】
0005273215.tif 000012
【図１２】
0005273215.tif 000013
【図１３】
0005273215.tif 000014